(57)【要約】  特に光起電力用のディスコネクタ（１）は、少なくとも２つのモジュール接点ボックス（２）を含む。少なくとも２つのモジュール接点ボックス（２）は各々、ボックス型本体（３）を含、ボックス型本体（３）は、隣接するモジュール接点ボックス（２）の隣接するボックス型本体（３）に結合される。ボックス型本体（３）は、回転可能な接点（４）を収容する中央座部（４０）と２つの周辺座部（５０）とを形成し、２つの周辺座部（５０）は各々、モジュール接点ボックス（２）の外側からアクセス可能な対応する固定接点（５）の接続部分（５１）を収容する。回転可能な接点（４）は、接続部分（５１）が周辺座部（５０）に配置されている固定接点（５）を係合するために、または、固定接点（５）から分離するために、ボックス型本体（３）を基準にして中央座部（４０）の軸（４０ａ）を中心として回転することができる。２つの周辺座部（５０）は、中央座部（４０）の軸（４０ａ）を通る中心面（Ａ）を基準として同じ側部（３０）に配置される。ボックス型本体（３）の２つの周辺座部（５０）および隣接するボックス型本体（３）の２つの周辺座部（５０）は、中心面（Ａ）を基準として互いに反対側に配置される。
2016504734.tif 000002
【特許請求の範囲】
【請求項１】
特に光起電力用のディスコネクタ（１）であって、少なくとも２つのモジュール接点ボックス（２）を含み、少なくとも２つのモジュール接点ボックス（２）は各々、ボックス型本体（３）を含み、ボックス型本体（３）は、隣接するモジュール接点ボックス（２）の隣接するボックス型本体（３）に結合され、各々のボックス型本体（３）は、回転可能な接点（４）を収容する中央座部（４０）と２つの周辺座部（５０）とを形成し、２つの周辺座部（５０）は各々、前記モジュール接点ボックス（２）の外側からアクセス可能な対応する固定接点（５）の接続部分（５１）を収容し、前記回転可能な接点（４）は、前記周辺座部（５０）に接続部分（５１）が配置されている固定接点（５）を係合するために、または、前記固定接点（５）から分離するために、前記ボックス型本体（３）を基準にして前記中央座部（４０）の軸（４０ａ）を中心として回転可能であり、同じボックス型本体（３）の前記２つの周辺座部（５０）は、中央座部（４０）の前記軸（４０ａ）を通る中心面（Ａ）を基準として同じ側部に配置され、ボックス型本体（３）の前記２つの周辺座部（５０）と隣接するボックス型本体（３）の２つの周辺座部（５０）とが、前記中心面（Ａ）を基準にして互いに反対側に配置される、ディスコネクタ（１）。
【請求項２】
前記ボックス型本体（３）は実質的に長方形の平面形状を有し、前記中央座部（４０）は前記ボックス型本体（３）の２つの対向する端面を通り、前記中心面（Ａ）は、前記ボックス型本体（３）の２つの対向する側部（３０，３１）に対して平行である、請求項１に記載のディスコネクタ。
【請求項３】
前記ボックス型本体（３）は、前記ボックス型本体（３）の第１の側部（３１）に近接して配置される少なくとも１つの基準ピン（６）と、前記第１の側部（３１）の反対側である第２の側部（３０）に近接して配置される、隣接するボックス型本体（３）の基準ピン（６）のための座部（７）とを含み、前記基準ピン（６）は、前記隣接するボックス型本体（３）の座部（７）を係合し、前記ボックス型本体（３）の前記２つの周辺座部（５０）と、前記隣接するボックス型本体（３）の前記２つの周辺座部（５０）とが、ディスコネクタ（１）の２つの対向する側部（１００，１０１）に近接して配置される、請求項１および２に記載のディスコネクタ（１）。
【請求項４】
各々のモジュール接点ボックス（２）は２つの固定接点（５）を含み、前記固定接点（５）の各々は、前記モジュール接点ボックス（２）の外側からアクセスすることができる対応する接続部分（５１）と、前記回転可能な接点（４）との電気接触を確立するように適合された接点部分（５２）と、前記接続部分（５１）と前記接点部分（５２）との間に延在する接続部分（５３）とを含み、前記接続部分（５３）は、前記ボックス型本体（３）に形成された連結座部（３３）に安定的に収容される、請求項１から３のいずれか一項に記載のディスコネクタ（１）。
【請求項５】
同じボックス型本体（３）に配置された固定接点（５２）の接点部分（５）は、前記中心面（Ａ）に配置される、請求項１から４のいずれか一項に記載のディスコネクタ（１）。
【請求項６】
絶縁材料でできた閉込め要素（５４）を含み、前記閉込め要素（５４）は、前記固定接点（５）の前記接続部分（５３）を少なくとも部分的に囲み、前記ボックス型本体（３）に形成された前記連結座部（３３）に、前記接続部分（５３）と共に、安定的に収容される、請求項１から５のいずれか一項に記載のディスコネクタ（１）。
【請求項７】
前記閉込め要素（５４）は前記接続部分（５３）上に共成型される、請求項１から６のいずれか一項に記載のディスコネクタ（１）。
【請求項８】
少なくとも１つの外部電気接続ブリッジ（８）を含み、隣接するモジュール接点ボックス（２）の固定接点（５）の接続部分（５１）は、単一タイプの前記外部電気接続ブリッジ（８）によって電気的に接続可能である、請求項１から７のいずれか一項に記載のディスコネクタ（１）。
【請求項９】
前記ボックス型本体（３）は、前記２つの周辺座部（５０）が配置されている前記ボックス型本体（３）の同じ側部（３０）に近接して前記ボックス型本体（３）の下面上に配置されるリブ（３５）を含み、前記ボックス型本体（３）の前記リブ（３５）は、隣接するボックス型本体（３）の固定接点（５）の接続部分（５１）に干渉して、これにより、前記ボックス型本体（３）に隣接している前記ボックス型本体（３）が前記中心面（Ａ）の同じ側部に配置された前記２つのボックス型本体（３）の周辺座部（５０）と結合されるのを防ぐように適合される、請求項１から８のいずれか一項に記載のディスコネクタ（１）。
【請求項１０】
各々のモジュール接点ボックス（２）は少なくとも１つの接触電極（１０）を含み、前記少なくとも１つの接触電極（１０）は、同じボックス型本体（３）に配置された固定接点（５）の２つの接点部分（５２）の間において、前記ボックス型本体（３）に形成された連結座部に安定的に収容される、請求項１から９のいずれか一項に記載のディスコネクタ（１）。
【発明の詳細な説明】
【技術分野】
【０００１】
本発明は、特に光起電力用のディスコネクタに関する。
【背景技術】
【０００２】
光起電システムにおいては、利用システムが必要とする電流および総電力を供給するために、個々の光起電セルによって生成される低電流が平行に組合わされる。したがって、光起電システムにおいては、個々の光起電セルが絶縁され、保護され、遮断されることが一般的である。光起電力が適用される分野、より一般的には電気系統のための装置の分野においては、この目的のために、ディスコネクタ、中でもロータリスイッチ、を用いることが公知である。
【発明の概要】
【発明が解決しようとする課題】
【０００３】
公知のタイプのディスコネクタは、一般的には、１つ以上のモジュール接点ボックスによって構成される。モジュール接点ボックスは各々、一般に、回転可能な接点および１対の固定接点を含む。回転可能な接点の回転は、２つ以上のモジュール接点ボックスを結合する場合には各々のモジュールに対して同時に行なわれるが、この回転により、各々のモジュールの２つの固定接点間に電流が流れるのを中断したり許可したりすることができる。
【０００４】
これらのディスコネクタは、直流回路および交流回路の両方において用いられる。
直流回路および交流回路の両方において機能する公知のタイプのすべてのディスコネクタに共通する問題は、電気アークと称されるものが形成される現象を制限し、場合によっては防止する必要があることに関係している。
【０００５】
電気アークは、電気回路を開閉するための動作中に起こる現象であり、プラズマの形成に加えて、電気接点間における空気のイオン化によって作り出される。実際には、開くステップにおいて、電気接点間の接触面が漸進的に小さくなる傾向があり、結果として電流密度が高まる。結果として、温度が極端に高い値にまで上昇して、電気アークを引起こし、その後、電気アークを発達させる。
【０００６】
電気アークの現象は、直流回路の場合には明らかに目立つものとなる。というのも、交流回路においては、電流値が周期的に０にまで低下すると、電気アークが自然かつ周期的に消滅したと判断されるからである。
【０００７】
しかしながら、電気アークが形成されると、常に、接触電極の劣化を引起し、しばしば、接点自体の溶接さえも危険にさらしてしまう。
【０００８】
電気アークを消滅させるためのいくつかの方法が公知であり、公知のタイプのディスコネクタにおいてさまざまな方法で実現される。第１の方法は、実質的には、電気接点を物理的に間隔を空けて配置することである。第２の方法は、２つの主接点間に形成された電気アークを破壊して、プラズマを膨張させることのできる金属薄板または磁石などの電気接点のさらなる要素を挿入することである。第３の方法は、可能な限り短時間で、電気接点間の物理的な距離を広げるために接点の開離速度を上げることである。
【０００９】
しかしながら、少なくとも部分的に上記要件を満たすことができるようにするために、これらディスコネクタの構造が嵩高くなり、その幾何学的形状が複雑になるという点を含めて、公知のタイプのこれらのディスコネクタには欠点がないわけではない。
【００１０】
公知のタイプのこれらのディスコネクタの別の欠点として、構成要素を組立てる際の困難さが挙げられる。
【００１１】
本発明は、背景技術の欠点を無くし、その制約を克服し、大きさが制限され、直ちに組立てることができる、特に光起電力用のディスコネクタを提供することを意図している。
【００１２】
本発明は、この意図の範囲内で、電気アークの消弧を容易にするディスコネクタを提供することを目的とする。
【００１３】
本発明のさらなる目的は、使用する際の信頼性および安全性を最大限保証することができるディスコネクタを提供することである。
【００１４】
本発明の別の目的は、背景技術と比べて、提供するのが容易であり経済的に競争力のあるディスコネクタを提供することである。
【課題を解決するための手段】
【００１５】
この意図、これらの目的、および以下においてより明らかになる他の目的は、特に光起電力用のディスコネクタによって達成される。ディスコネクタは、少なくとも２つのモジュール接点ボックスを含み、少なくとも２つのモジュール接点ボックスは各々、ボックス型本体を含み、当該ボックス型本体は、隣接するモジュール接点ボックスの隣接するボックス型本体に結合され、各々のボックス型本体は、回転可能な接点を収容する中央座部と、２つの周辺座部とを形成し、２つの周辺座部の各々は、上記モジュール接点ボックスの外側からアクセスすることができる、対応する固定接点の接続部分を収容し、上記回転可能な接点は、上記周辺座部に接続部分が配置されている固定接点を係合するために、または、上記固定接点から分離するために、上記ボックス型本体を基準にして上記中央座部の軸を中心として回転可能であり、同じボックス型本体の上記２つの周辺座部は、中央座部の上記軸を通る中心面を基準にして同じ側部に配置され、ボックス型本体の２つの周辺座部と、隣接するボックス型本体の２つの周辺座部とが上記中心面を基準にして互いに反対側に配置される。
【００１６】
本発明のさらなる特徴および利点は、添付の図面を用いて非限定的な例として例示され、本発明に従った、特に光起電力用のディスコネクタについての好ましいが非排他的な実施形態の記載からより明らかになるだろう。
【図面の簡単な説明】
【００１７】
【図１】本発明に従ったディスコネクタの斜視図である。
【図２】図１のディスコネクタを、図１とは異なる角度から見た別の斜視図である。
【図３】図１のディスコネクタに関する電気図の例を示す図である。
【図４】本発明に従ったディスコネクタの構造上の変形例を示す分解斜視図である。
【図５】図４のディスコネクタの外部電気接続ブリッジを示す斜視図である。
【図６】電気接点が「オフ」構成である、本発明に従ったディスコネクタのモジュール接点ボックスを示す斜視図である。
【図７】電気接点が「オン」構成である、図６のモジュール接点ボックスを示す斜視図である。
【図８】図７のモジュール接点ボックスを示す分解斜視図である。
【図９】図８のモジュール接点ボックスの回転可能な接点を示す分解斜視図である。
【図１０】本発明に従ったディスコネクタの固定接点を示す斜視図である。
【図１１】図１０の固定接点の第１の変形例を示す斜視図である。
【図１２】図１０の固定接点の第２の変形例を示す斜視図である。
【図１３】図６のモジュール接点ボックスを反転させた位置で示す斜視図である。
【図１４】２つの隣接するモジュール接点ボックスの正確な位置での結合を示す側面図である。
【図１５】図１４に示されるものの斜視図である。
【図１６】２つの隣接するモジュール接点ボックスの不正確な位置での結合を示す側面図である。
【図１７】図１６に示されるものの斜視図である。
【図１８】電気接点が「オフ」構成である、図６のモジュール接点ボックスの電気接点素子を示す斜視図である。
【図１９】電気接点が「オン」構成である、図６のモジュール接点ボックスの電気接点素子を示す斜視図である。
【発明を実施するための形態】
【００１８】
言及された図を参照すると、全体的に参照番号１によって示される、特に光起電力用のディスコネクタは、少なくとも２つのモジュール接点ボックス２を含む。少なくとも２つのモジュール接点ボックス２は各々、ボックス型本体３を含む。ボックス型本体３は、隣接するモジュール接点ボックス２の隣接するボックス型本体３に結合される。ボックス型本体３は、回転可能な接点４を収容する中央座部４０と、２つの周辺座部５０とを形成する。２つの周辺座部５０の各々は、モジュール接点ボックス２の外側からアクセスすることができる固定接点５の接続部分５１を収容する。回転可能な接点４は、周辺座部５０に接続部分５１が配置されている固定接点５を係合するために、または、固定接点５から分離するために、ボックス型本体３を基準にして中央座部４０の軸４０ａを中心として回転可能である。
【００１９】
本発明に従うと、同じボックス型本体３の２つの周辺座部５０は、軸４０ａを通る仮想中心面Ａを基準として同じ側部に配置される。さらに、本発明に従うと、ボックス型本体３の２つの周辺座部５０と、隣接するボックス型本体３の２つの周辺座部５０とは、仮想中心面Ａを基準として互いに反対側に配置される。
【００２０】
有利には、ボックス型本体３は実質的に長方形の平面形状を有し、中央座部４０は、ボックス型本体３の２つの対向する端面を通り、仮想中心面Ａは、ボックス型本体３の２つの対向する側部３０および３１に対して平行である。
【００２１】
一例として、図１および図２は、互いに積み重ねられた６つのモジュール接点ボックス２を含むディスコネクタ１を示す。固定接点５を収容する周辺座部５０はそれぞれ、各々のモジュール接点ボックス２に対して、ディスコネクタ１の側部１００および側部１０１に近接して交互に配置される。図１および図２に示されるディスコネクタ１と図４の分解図に示される変形例との違いは、被覆要素１０７を基準にしたモジュール接点ボックス２の向きと、上記ディスコネクタ１の端面を基準にしたモジュール接点ボックス２の向きとが異なる点にある。
【００２２】
図６、図７および図８に示されるように、各々のモジュール接点ボックス２は、ボックス型本体３、ボックス型本体３の中央座部４０に収容された回転可能な接点４、および、１対の固定接点５を含む。１対の固定接点５は各々、対応する接続部分５１とともに、ボックス型本体３の２つの周辺座部５０のうちの１つに収容されている。
【００２３】
各々の固定接点５は、接続部分５１、接点部分５２および接続部分５３を含む。接続部分５３は、接続部分５１と接点部分５２との間に延在する。接続部分５１は、モジュール接点ボックス２の外側から、および上記ディスコネクタ１の外側からアクセスすることができる。このような接続部分５１は、実際には、ねじロッキングシステム５５を含み得る。この場合、ねじは、ねじ回し５６によって、外部導電体５７ａ、５７ｂ、５７ｃおよび５７ｄにロックされるように操作することができる。固定接点５の接点部分５２は、回転可能な接点４との電気接触を確立するように適合される。特に、固定接点５の接点部分５２は、有利には、仮想中心面Ａに配置することができる。
【００２４】
回転可能な接点４は導電性金属部分４１を含む。導電性金属部分４１は、固定接点５の接点部分５２と接触させるように、それらの位置に応じて適合された２つの端部分４２を規定する。導電性金属部分４１は、有利には、２つの導電性薄板４１ａ、４１ｂを含む。このような導電性薄板４１ａ、４１ｂは、冷間打抜きによって２箇所以上において接合することができるか、もしくは、それら自体の上に、上記薄板のうちの１つの薄板が有する２つ以上の側方翼状部を折り重ねることによって接合することができるか、または、折り畳める単一の要素によって構成することができる。導電性薄板４１ａ、４１ｂは、有利には電気絶縁材料で作られて中央座部４０に収容される回転可能な支持部４３と、有利には絶縁材料で作られた蓋４４との間に配置される。回転可能な接点４の端部分４２は、回転可能な支持部４３および蓋４４から部分的に突出し、固定接点５の接点部分５２との電気接触を確立するように適合されている。
【００２５】
図６は、電気接点が「オフ」構成であるモジュール接点ボックス２を示す。ここでは、回転可能な接点４の端部分４２は、固定接点５の接点部分５２とは接触しておらず、これにより、２つの固定接点５の間に電流が流れるのを防止する。図７は、電気接点が「オン」構成であるモジュール接点ボックス２を示す。ここでは、回転可能な接点４の端部分４２は、固定接点５の接点部分５２に接触しており、これにより、２つの固定接点５の間に電流が流れることを可能にする。
【００２６】
特に図１８および図１９に示されるように、導電性薄板４１ａおよび４１ｂは、スロット４７をもたらすように端部分４２で二股に分岐している。ここでは、固定接点５の接点部分５２は摺動可能であり、これにより、回転可能な接点４と固定接点５との間が確実に電気的に連通することとなる。
【００２７】
有利には、接続部分５３は、ボックス型本体３に形成された、連結座部３３に安定的に収容される。さらに、連結座部３３は、固定接点５の機械的安定性および電気絶縁を高めるために、有利には樹脂またはシリコーンで満たすことができる。
【００２８】
図１０は固定接点５を示す。図１１に示される固定接点５の第１の変形例に従うと、各々の固定接点５に対して、絶縁材料でできた閉込め要素５４が設けられている。閉込め要素５４は、固定接点５の接続部分５３を少なくとも部分的に囲み、ボックス型本体３に形成された連結座部３３に、接続部分５３と共に安定的に収容される。この場合にも、固定接点５を機械的に安定させ、電気的絶縁させるために、閉込め要素５４および／または連結座部３３を樹脂またはシリコーンでさらに満たすことができる。図１２に示される第２の変形例に従うと、閉込め要素５４は、固定接点５の接続部分５３上に直接、共成型される。
【００２９】
有利には、さらに、特に図６〜図８および図１３〜図１７に示されるように、ボックス型本体３は、ボックス型本体３の第１の側部３１に近接して配置された少なくとも１つの基準ピン６と、第１の側部３１とは反対側にある第２の側部３０に近接して配置された、隣接するボックス型本体３の基準ピン６のための座部７とを含む。
【００３０】
各々のボックス型本体３の基準ピン６は、隣接するボックス型本体３の座部７を係合し、これにより、ボックス型本体３の２つの周辺座部５０と隣接するボックス型本体３の２つの周辺座部５０とが、ディスコネクタ１にある２つの対向する側部１００および１０１に近接して配置される。
【００３１】
図１４および図１５は、モジュール接点ボックス２と隣接するモジュール接点ボックス２との正確な結合を示す。上方のボックス型本体３の固定接点５を収容する周辺座部５０はディスコネクタ１の側部１００に近接して配置され、下方のボックス型本体３の周辺座部５０は、ディスコネクタ１の反対側の側部１０１に近接して配置される。
【００３２】
逆に、図１６および図１７は、接点ボックス２と、隣接する接点ボックス２との不正確な結合を示す。この場合、上方のボックス型本体３の周辺座部５０および下方のボックス形本体３の周辺座部５０はともに、ディスコネクタ１の同じ側部１００に近接して配置される。これらは、上方のボックス型本体３における対応する座部７とは適合しないピン６が下方のボックス型本体３に存在していることによって、結合が防止されている。
【００３３】
したがって、基準ピン６と対応する座部７とが結合することにより、２つ以上の隣接するボックス型本体３同士が組立てられるのを防ぎ、これによりもたらされるディスコネクタ１においては、接点ボックス２の固定接点５が、隣接する接点ボックス２の固定接点５を基準としてディスコネクタ１の同じ側部に近接して配置されるようになっている。
【００３４】
さらに、各々のボックス型本体３は、特に図１３に示されるリブ３５を含み得る。リブ３５は、２つの周辺座部５０が配置されているボックス型本体３の同じ側部３０に近接して、上記ボックス型本体３の下面上に配置される。このようなリブ３５は、特にねじ５５を用いる場合には、隣接するボックス型本体３の固定接点５の接続部分５１に干渉するように適合される。この態様では、基準ピン６と対応する座部７とが結合されている場合には、隣接するボックス型本体３同士が結合するのが防止され、これら２つのボックス型本体３の周辺座部５０がディスコネクタ１の同じ側部に近接して配置されている。
【００３５】
図３は、図１、図２および図３に示され、６つのモジュール接点ボックス２からなるディスコネクタ１の電気図の例を示す。固定接点５のうちのいくつかは、負極性５７ａおよび５７ｃならびに正極性５７ｂおよび５７ｄを備えた外部電気導体と好都合に接続される。外部電気導体５７ａ、５７ｂ、５７ｃ、５７ｄに接続されていない固定接点５は、複数の外部電気接続ブリッジ８によって互いに好都合に接続される。各々の外部電気接続ブリッジ８は、２つの隣接するモジュール接点ボックス２の２つの固定接点５の接続部分５１同士を電気的に接続する。有利には、図５に示される単一タイプの外部電気接続ブリッジ８は、２つの隣接するモジュール接点ボックス２における１対の固定接点５同士を等しく接続するように適合される。
【００３６】
さらに、各々のモジュール接点ボックス２は、ボックス型本体３に形成された連結座部に安定的に収容される少なくとも１つの接触電極１０を、同じボックス型本体３に配置された固定接点５における２つの接点部分５２間に、含み得る。電極１０または対の電極１０は、電気接点の開閉中に、すなわち回転可能な接点４の回転中に、電気アークが形成されるのを阻止する。
【００３７】
図６、図７、図８、図１８および図１９は、回転可能な接点の端部分４２が「オン」構成および「オフ」構成をとることができる位置に対する、固定接点５の接点部分５２の相対位置と、電極１０の相対位置とを示す。接点部分５２は、中央座部４０を基準にして正反対の位置にあり、電極１０はまた、中央座部４０を基準にして正反対の位置にあるが、但し、固定接点５の接点部分５２をつなぐ方向に対して実質的に直角の方向に沿っている。
【００３８】
ディスコネクタ１は、さらに、モジュール接点ボックス２をロックするための手段を含み得る。特に図４の分解図に示されるこのようなロック手段は、各々、プラスチック製または適切には絶縁金属製の牽引要素１０３を含む。牽引要素１０３は、少なくとも部分的に各モジュール接点ボックス２を通過する。牽引要素１０３は、第１の端部に、２つの把握翼状部１０５を含む。把握翼状部１０５は、ディスコネクタ１の被覆要素１０７に形成された座部１０６を係合する。牽引要素１０３はさらに、第２の端部に、ディスコネクタのベース部１０８を通るクロージャねじ１０４の挿入用のネジ穴を含む。ベース部１０８は、図１および図２のディスコネクタに関連付けて示されるように最も外側のモジュール接点ボックス２のボックス型本体３に固定されるように適合されている適合したボックス型本体１０９に、電気的に接触させることなく、一体化させることができるか、または、ベース部１０８は、図４のディスコネクタの変形例に示されるように、最も外側のモジュール接点ボックス２のボックス型本体３自体によって構成することができる。図４の変形例のベース要素１０８は、さらに有利には、固定バー１１１の挿入用のトラック１１０を含む。
【００３９】
ディスコネクタの動作は、上述の説明から明らかでありかつ明白である。
実際には、本発明に従ったディスコネクタが、所期の意図および目的を達成することが判明した。なぜなら、当該ディスコネクタは、容易に組立てることができ、体積が限られており、形成された電気アークを有効に消滅させることができるからである。
【００４０】
本発明に従ったディスコネクタの別の利点は、それが１タイプのモジュール接点ボックスしか必要としない点である。実際には、固定電気接点間の好適な間隔は、１つのモジュール接点ボックスを、１８０°だけ回転させた位置にある隣接する１つのモジュール接点ボックスの上に重ねることによって達成される。モジュール接点ボックスをこのように相互に位置決めすることにより、ディスコネクタの２つの対向する側部上に固定接点を交互に配置することが可能となり、したがって、好都合に間隔が空けられる。
【００４１】
本発明に従ったディスコネクタのさらなる利点は、当該ディスコネクタでは、基準ピンと対応する座部との間が結合されているおかげで、隣接するモジュール接点ボックス同士が不正確に組付けられるのが防止され、固定接点の止めねじに干渉させるためのリブ同士が不正確に組付けられるのが防止される点である。
【００４２】
本発明に従ったディスコネクタの別の利点は、ボックス型本体におけるこれらの構成要素の機械的安定性と電気絶縁の度合いとを向上させるように、固定接点および電極の両方のために適合された連結座部を有する点である。特に、固定接点および電極は、対応するボックス型本体に安定的に収容される。このため、組立てステップの間、すなわち、上方のモジュール接点ボックスがまだ適用されていない時に、これら接点ボックスが移動し得るリスクが最小限になる。
【００４３】
本発明に従ったディスコネクタのさらなる利点は、当該ディスコネクタが、隣接するモジュール接点ボックス同士の如何なる対の固定接点をも接続するように適合された外部電気接続ブリッジを一種しか必要としないという点である。
【００４４】
本発明に従ったディスコネクタの別の利点は、固定接点の接続部分がディスコネクタにおいて分散されており、このため、さまざまな電気極性が、ディスコネクタの同じ側部に配置されており交差していないので、容易に識別できる点である。
【００４５】
別の利点は、固定接点を、たとえばねじ回しによってより容易に操作することができる点に関する。
【００４６】
本発明のさらなる利点は、さまざまな用途、ＤＣおよびＡＣの両方においても使用できる点である。
【００４７】
特にこのように想到された光起電力用のディスコネクタは、多数の変更例および変形例が可能であって、それらすべてが発明の概念の範囲内にあるものとする。
【００４８】
すべての詳細はさらに、他の技術的に同等な要素と置換えられてもよい。
実際には、用いられる材料は、それらが特定の用途だけではなく偶発的な形状および寸法にも適合し得る限り、要件に従った如何なるものであってもよい。
【００４９】
本願が優先権を主張しているイタリア特許出願番号ＭＩ２０１２Ａ００２１７５における開示は、引用によりこの明細書中に援用されている。
【００５０】
いずれの請求項にも言及されている技術的特徴には参照符号が付されており、それらの参照符号は請求項の理解しやすさを高めるためだけに含まれており、このため、このような参照符号は、このような参照符号によって例として識別される各々の要素の解釈に対して如何なる限定的な作用も及ぼすものではない。
【図１】
2016504734.tif 000003
【図２】
2016504734.tif 000004
【図３】
2016504734.tif 000005
【図４】
2016504734.tif 000006
【図５】
2016504734.tif 000007
【図６】
2016504734.tif 000008
【図７】
2016504734.tif 000009
【図８】
2016504734.tif 000010
【図９】
2016504734.tif 000011
【図１０】
2016504734.tif 000012
【図１１】
2016504734.tif 000013
【図１２】
2016504734.tif 000014
【図１３】
2016504734.tif 000015
【図１４】
2016504734.tif 000016
【図１５】
2016504734.tif 000017
【図１６】
2016504734.tif 000018
【図１７】
2016504734.tif 000019
【図１８】
2016504734.tif 000020
【図１９】
2016504734.tif 000021
【国際調査報告】
2016504734.tif 000022
2016504734.tif 000023